(57)【要約】      （修正有）【課題】情報光／参照光の光路が製造時の位置からずれた場合、ズレを検出し適正に補正して良好な記録再生特性を有する光情報記録再生装置を提供する。【解決手段】参照光のズレ検出及び調整時には記録媒体Ｍを記録・再生位置より退避させ、第２ガルバノミラーＧＭ２を凹面ミラーＣＮＭに対向する位置へと回転変位させる。アクティブ１／２波長板ＡＨＷＰを駆動して情報光を遮断するようにする。半導体レーザＬＤを発光させると、平行光束である参照光が記録姿勢位置を通過して第２ガルバノミラーに向かい、反射した参照光は凹面ミラーで反射して収束光となり、焦点ＦＰを通過後、対物レンズＯＢＪに入射して平行光束となり、第６レンズＬ６，第３ピンホールＰ３，第５レンズＬ５と、情報光の光路を逆に辿って、第２偏光ビームスプリッタＰＢＳ２で反射されて検出器を兼ねる２次元画像センサＣＣＤの受光面に入射され、２次元方向の情報光のズレを検出される。【選択図】図３
2010102784.tif 000002
【特許請求の範囲】
【請求項１】
光源と、前記光源からの光束を分岐する分岐手段と、分岐された光束のうちの一方を参照光として記録媒体に導く光学系と、分岐された光束のうちの他方を入射して、情報光を生成する空間光変調素子と、前記情報光を前記記録媒体に集光する対物レンズと、前記記録媒体からの光束を受光する画像受光素子とを備え、異なる方向から照射した前記参照光と前記情報光とを干渉させて前記記録媒体に情報を記録し、前記参照光を前記記録媒体に照射し、該記録媒体から出射する光束を前記画像受光素子に導き情報の再生を行う、２光束干渉方式を用いた光情報記録再生装置において、
前記参照光と前記情報光のうち少なくとも一方のズレを検出する検出器を有し、
前記記録媒体は、記録又は再生が可能な記録・再生位置と、前記記録・再生位置から退避した退避位置との間で移動可能となっており、
前記情報光の光路の延長線上において、前記記録・再生位置にある記録媒体を挟んで、記録時に前記光源より前記参照光及び前記情報光が入射する側と反対側に、凹面ミラーが配置され、また前記参照光の光路の延長線上において、前記記録・再生位置にある記録媒体を挟んで、再生時に前記光源より前記参照光が入射する側と反対側に、平面ミラーが配置されており、
前記平面ミラーは、前記記録媒体が前記記録・再生位置にあるときには、前記記録媒体に対向する位置へと変位し、前記記録媒体が前記退避位置にあるときには、前記凹面ミラーに対向する位置へと変位するようになっていることを特徴とする光情報記録再生装置。
【請求項２】
前記記録媒体が前記退避位置にある場合において、前記平面ミラーに、前記参照光の光路に沿って光束が入射したときは、前記凹面ミラーに向かうように光束が反射され、反射した光束は更に前記凹面ミラーで反射されて収束光束となって前記対物レンズに向かい、前記対物レンズを通過した光束は平行光束となって前記情報光の光路に沿って戻るようになっており、
一方、前記凹面ミラーに、前記情報光の光路に沿って前記対物レンズを通過した光束が入射したときは、前記平面ミラーに向かうように平行光束が反射され、反射した平行光束は前記参照光の光路に沿って戻るようになっていることを特徴とする請求項１に記載の光情報記録再生装置。
【請求項３】
前記検出器からの出力に基づいて、前記光のズレを補正する補正機構を有し、前記補正機構は、前記光源と記録媒体との間の光路内に配置された少なくとも２枚のミラーと、前記２枚のミラーの角度を変更する可動機構とを含むことを特徴とする請求項１又は２に記載の光情報記録再生装置。
【請求項４】
前記光源と前記分岐手段との間に、前記光源から前記分岐手段に向かう光束を通過させるが、前記分岐手段から前記光源へと戻る光束は遮断する光アイソレータを有し、前記検出器は、前記光アイソレータが遮断した戻り光の量を検出することを特徴とする請求項１〜３のいずれかに記載の光情報記録再生装置。
【請求項５】
前記検出器は前記画像受光素子であって、前記凹面ミラーから反射された参照光を入射することにより、前記参照光のズレを検出することを特徴とする請求項１〜４のいずれかに記載の光情報記録再生装置。
【発明の詳細な説明】
【技術分野】
【０００１】
本発明は、光情報記録再生装置に関し、特にホログラフィを利用して情報が記録される記録媒体に対して情報を記録し、情報が記録されている記録媒体からの情報の再生を行う光情報記録再生装置に関する。
【背景技術】
【０００２】
近年、高密度の光情報記録再生装置として、特許文献１のようなホログラフィの原理を用いたものが提案されている。このような光情報記録再生装置において、記録時には、一つの光源から発生した光を、空間光変調器(SLM:Spatial Light Modulator)により変調された情報を持つ情報光と、参照光とに分岐し、分岐された2つの光を異なる方向から記録媒体に照射し、干渉縞として情報を記録することができる。一方、再生時には、情報を記録した記録媒体に、記録時と同じ参照光を照射して干渉縞を読み取り、それにより記録した情報を再生することができる。
【特許文献１】特開２００８−１２３６２７号公報
【発明の開示】
【発明が解決しようとする課題】
【０００３】
上述のようにホログラフィの原理を用いた光情報記録再生装置は、情報光と参照光とで作る干渉縞を記録しているために、記録再生時における情報光と参照光の関係が非常に重要となる。より具体的には、例えば情報を再生する際に、情報を記録したときに使用した参照光と状態の異なる参照光を照射した場合、情報が正しく再生されない恐れがある。ここで参照光の「異なる状態」とは、例えば、光源の波長の相違、記録媒体への照射角度の相違、参照光の振幅／位相分布のバラツキなどが考えられる。
【０００４】
ところで、光源の波長や、参照光の振幅／位相分布などは、半導体レーザ個々の特性により定まり、ある程度安定しているといえる。これに対し、記録媒体への照射角度は、例えば光情報記録再生装置の搬送時、使用時などにおける振動や環境の温度変化などの影響、経時変化等により、初期設定値から比較的変動し易い傾向がある。一方、半導体レーザの出力強度を可能な限り情報光の強度に利用するために、情報光の光束径をSLMの大きさと略同じとするか、若しくは余裕を持たせるにしても僅かに大きくする程度に留めることもあるが、かかる場合、何らかの理由により情報光の光路の光軸が、製造時の位置に対してその余裕分以上、平行移動してしまうと、情報光がSLMによりケラレてしまい有効に使用できないという問題もある。
【０００５】
本発明は、上述の問題を考慮してなされたものであり、光情報記録再生装置の情報光／参照光の光路が製造時の位置からずれた場合でも、そのズレを検出し、適正に補正することが出来、良好な記録再生特性を有する光情報記録再生装置を提供することを目的とする。
【課題を解決するための手段】
【０００６】
上記課題を解決する為、請求項１に記載の光情報記録再生装置は、光源と、前記光源からの光束を分岐する分岐手段と、分岐された光束のうちの一方を参照光として記録媒体に導く光学系と、分岐された光束のうちの他方を入射して、情報光を生成する空間光変調素子と、前記情報光を前記記録媒体に集光する対物レンズと、前記記録媒体からの光束を受光する画像受光素子とを備え、異なる方向から照射した前記参照光と前記情報光とを干渉させて前記記録媒体に情報を記録し、前記参照光を前記記録媒体に照射し、該記録媒体から出射する光束を前記画像受光素子に導き情報の再生を行う、２光束干渉方式を用いた光情報記録再生装置において、
前記参照光と前記情報光のうち少なくとも一方のズレを検出する検出器を有し、
前記記録媒体は、記録又は再生が可能な記録・再生位置と、前記記録・再生位置から退避した退避位置との間で移動可能となっており、
前記情報光の光路の延長線上において、前記記録・再生位置にある記録媒体を挟んで、記録時に前記光源より前記参照光及び前記情報光が入射する側と反対側に、凹面ミラーが配置され、また前記参照光の光路の延長線上において、前記記録・再生位置にある記録媒体を挟んで、再生時に前記光源より前記参照光が入射する側と反対側に、平面ミラーが配置されており、
前記平面ミラーは、前記記録媒体が前記記録・再生位置にあるときには、前記記録媒体に対向する位置へと変位し、前記記録媒体が前記退避位置にあるときには、前記凹面ミラーに対向する位置へと変位するようになっていることを特徴とする。
【０００７】
本発明によれば、例えば光情報記録再生装置の搬送時、使用時などにおける振動や環境の温度変化などの影響、経時変化等により、初期設定に対して記録媒体に入射する情報光及び／又は参照光にズレが生じた場合でも、かかるズレを前記検出器で検出することができる。この場合において、前記記録媒体は、記録・再生位置と、前記記録・再生位置から退避した退避位置との間で移動可能となっており、前記情報光の光路の延長線上において、前記記録・再生位置にある記録媒体を挟んで、記録時に前記光源より前記参照光及び前記情報光が入射する側と反対側に、凹面ミラーが配置され、また前記参照光の光路の延長線上において、前記記録・再生位置にある記録媒体を挟んで、再生時に前記光源より前記参照光が入射する側と反対側に、平面ミラーが配置されており、前記平面ミラーは、前記記録媒体が前記記録・再生位置にあるときには、前記記録媒体に対向する位置へと変位し、前記記録媒体が前記退避位置にあるときには、前記凹面ミラーに対向する位置へと変位するようになっているので、記録・再生に用いる光学系を利用して、前記検出器にズレ検出用の光束を導くことが出来、構成の簡素化・コスト低減を図ることができる。尚、「記録・再生位置」とは、記録媒体の記録層に参照光と情報光とが照射される位置をいう。
【０００８】
請求項２に記載の光情報記録再生装置は、請求項１に記載の発明において、前記記録媒体が前記退避位置にある場合において、前記平面ミラーに、前記参照光の光路に沿って光束が入射したときは、前記凹面ミラーに向かうように光束が反射され、反射した光束は更に前記凹面ミラーで反射されて収束光束となって前記対物レンズに向かい、前記対物レンズを通過した光束は平行光束となって前記情報光の光路に沿って戻るようになっており、一方、前記凹面ミラーに、前記情報光の光路に沿って前記対物レンズを通過した光束が入射したときは、前記平面ミラーに向かうように平行光束が反射され、反射した平行光束は前記参照光の光路に沿って戻るようになっていることを特徴とする。これにより、情報光を参照光の光路内に導くことが出来、参照光を情報光の光路内に導くことが出来るので、まず、一方の光のズレを検出した後、他方の光のズレを検出するというように、順序立ててズレ検出を行うことができる。
【０００９】
請求項３に記載の光情報記録再生装置は、請求項１又は２に記載の発明において、前記検出器からの出力に基づいて、前記光のズレを補正する補正機構を有し、前記補正機構は、前記光源と記録媒体との間の光路内に配置された少なくとも２枚のミラーと、前記２枚のミラーの角度を変更する可動機構とを含むことを特徴とする。
【００１０】
本発明によれば、前記検出器が検出したズレに基づいて、記録媒体に入射する情報光及び／又は参照光の入射位置を所定位置とするように前記補正機構により適正に補正を行うことができ、それにより良好な記録再生特性を有する光情報記録再生装置を提供することが出来る。
【００１１】
請求項４に記載の光情報記録再生装置は、請求項１〜３のいずれかに記載の発明において、前記光源と前記分岐手段との間に、前記光源から前記分岐手段に向かう光束を通過させるが、前記分岐手段から前記光源へと戻る光束は遮断する光アイソレータを有し、前記検出器は、前記光アイソレータが遮断した戻り光の量を検出することを特徴とする。これにより、従来の光情報記録再生装置の構成を大きく変更することなく、ズレ検出を行うことができる。
【００１２】
請求項５に記載の光情報記録再生装置は、請求項１〜４のいずれかに記載の発明において、前記検出器は前記画像受光素子であって、前記凹面ミラーから反射された参照光を入射することにより、前記参照光のズレを検出することを特徴とする。記録媒体の情報の読み取りに用いる前記画像受光素子を前記検出器と兼用することにより、スペースの節約、部品点数やコストの削減を図ることができる。
【発明の効果】
【００１３】
本発明によれば、光情報記録再生装置の情報光／参照光の光路が製造時の位置からずれた場合でも、そのズレを検出し、適正に補正することが出来、良好な記録再生特性を有する光情報記録再生装置を提供することができる。
【発明を実施するための最良の形態】
【００１４】
以下、本発明の実施の形態を、図面を参照して説明する。まず、比較例として補正機構等を搭載していない光情報記録再生装置の構成と記録・再生動作について説明し、それに補正機構等を追加した光情報記録再生装置を説明する。図１、２は、比較例として示す２光束干渉方式の光情報記録再生装置のブロック図であり、図１は記録時を示し、図２は再生時を示しており、太い実線はデバイス間の配線を示し、細い実線は出射光束の光路を示し、点線は光束が遮断されていることを示す。
【００１５】
図１、２に示す光情報記録再生装置は、光源としての半導体レーザＬＤと、この半導体レーザＬＤからの光束を透過および反射して２つの光束に分岐させる分岐手段としての第１偏光ビームスプリッタＰＢＳ１とを有する。半導体レーザＬＤと第１偏光ビームスプリッタＰＢＳ１との間の共通光路内には、半導体レーザＬＤからの光束は透過するが逆方向の光束の通過は阻止する光アイソレータＯＩと、第１レンズＬ１と、波面を整える空間フィルターとして機能する第１ピンホールＰ１と、第２レンズＬ２と、アクティブ１／２波長板ＡＨＷＰとが配置されている。半導体レーザＬＤとアクティブ１／２波長板ＡＨＷＰとは、オプトコントローラーＯＣＴにより駆動制御される。アクティブ１／２波長板ＡＨＷＰは、例えばオプトコントローラーＯＣＴの制御により回転可能となっていて、記録時と再生時とで、第１偏光ビームスプリッタＰＢＳ１に入射する光束の偏光方向を変えて、記録時には第１偏光ビームスプリッタＰＢＳ１を通過する光束と反射する光束とを発生させ、再生時には第１偏光ビームスプリッタＰＢＳ１を通過する光束のみ発生させ、反射する光束を発生させないように機能する。
【００１６】
第１偏光ビームスプリッタＰＢＳ１と、ホログラム用の記録媒体Ｍとの間における情報光の専用光路内には、第３レンズＬ３と、第４レンズＬ４と、第２偏光ビームスプリッタＰＢＳ２と、第５レンズＬ５と、波面を整える空間フィルターとして機能する第３ピンホールＰ３と、第６レンズＬ６と、対物レンズＯＢＪとが配置されている。一方、第１偏光ビームスプリッタＰＢＳ１と、ホログラム用の記録媒体Ｍとの間における参照光の専用光路内には、第１ミラーＭ１と、第２ミラーＭ２と、波面を整える空間フィルターとして機能する第２ピンホールＰ２と、第１ガルバノミラーＧＭ１と、第７レンズＬ７と、第８レンズＬ８とが配置されており、これらが参照光を導く光学系を構成する。又、参照光の専用光路の延長線上において、記録媒体Ｍを挟んで第８レンズＬ８と反対側には、第２ガルバノミラーＧＭ２が配置されている。第１ガルバノミラーＧＭ１と第２ガルバノミラーＧＭ２とは、ガルバノミラーコントローラーＧＣＴにより駆動制御される。情報光と参照光とは記録媒体Ｍ上で交差するように入射する。記録媒体Ｍは、メディアコントローラーMCＴの制御下でメディア駆動機構ＭＤにより回転駆動される。
【００１７】
ＣＰＵは、オプトコントローラーＯＣＴ、ガルバノミラーコントローラーＧＣＴ、メディアコントローラーMCＴを制御する。又、ＣＰＵは、記録時には、インターフェースＩＦを介してデータバッファＤＢのデータをエンコーダＥＮＣより変換し、第２偏光ビームスプリッタＰＢＳ２の一面に隣接する空間光変調素子としての空間光変調器ＳＬＭに入力し、再生時には、第２偏光ビームスプリッタＰＢＳ２の別面に隣接する画像受光素子としての２次元画像センサＣＣＤ（Charge Coupled DevicesやComplementary Metal-Oxide Semiconductorを用いることができる)を介して入力されたデータをデコーダＤＥＣにより変換し、データバッファＤＢに入力した後読み出して、外部のメモリーＭＲＹに記憶するようになっている。
【００１８】
次に、図１を参照して、記録時における光情報記録再生装置の動作について説明する。半導体レーザＬＤから出射された光束は、光アイソレータＯＩを通過し、第１レンズＬ１により集光されて、第１ピンホールＰ１を通過し、第２レンズＬ２を通過して平行光束となり、アクティブ１／２波長板ＡＨＷＰに入射する。アクティブ１／２波長板ＡＨＷＰは、記録位置に回転させられているため、これを通過して所定の偏光状態にある光束は、分岐手段である第１偏光ビームスプリッタＰＢＳ１に入射した後、通過する光束（参照光）と反射する光束（情報光）とに分岐させられることとなる。
【００１９】
第１偏光ビームスプリッタＰＢＳ１で反射した光束は、第３レンズＬ３、第４レンズＬ４を通過し、第２偏光ビームスプリッタＰＢＳ２で反射して、空間光変調器ＳＬＭに入射する。入射した光束は、空間光変調器ＳＬＭの機能により所定の情報に対応した２次元変調を施されて反射し、偏光方向を変えるため、第２偏光ビームスプリッタＰＢＳ２を通過して、第５レンズＬ５、第３ピンホールＰ３，第６レンズＬ６を通過し、対物レンズＯＢＪを介して、記録媒体Ｍの記録層に集光されることとなる。
【００２０】
一方、第１偏光ビームスプリッタＰＢＳ１を通過した光束は、第１ミラーＭ１、第２ミラーＭ２でそれぞれ反射され、第２ピンホールＰ２を通過した後、第１ガルバノミラーＧＭ１で反射されて、第７レンズＬ７、第８レンズＬ８を通過し、情報光に対して異なる方向から所定の相対入射角で記録媒体Ｍの記録層に照射されることとなる。このとき情報光と参照光とが、同じ位置に照射されることで干渉縞が生じ、情報の記録をおこなうことができる。ガルバノミラーコントローラーＧＣＴにより第１ガルバノミラーＧＭ１の角度を調整することで、情報光と参照光との相対角度が変化するので、それにより多重に情報を記録することができる。
【００２１】
次に、図２を参照して、再生時における光情報記録再生装置の動作について説明する。半導体レーザＬＤから出射された光束は、光アイソレータＯＩを通過し、第１レンズＬ１により集光されて、第１ピンホールＰ１を通過し、第２レンズＬ２を通過して平行光束となり、アクティブ１／２波長板ＡＨＷＰに入射する。アクティブ１／２波長板ＡＨＷＰは、再生位置に回転させられているため、これを通過して所定の偏光状態にある光束は、分岐手段である第１偏光ビームスプリッタＰＢＳ１に入射した後、通過する光束（参照光）のみとなる。
【００２２】
第１偏光ビームスプリッタＰＢＳ１を通過した光束は、第１ミラーＭ１、第２ミラーＭ２でそれぞれ反射され、第２ピンホールＰ２を通過した後、第１ガルバノミラーＧＭ１で反射されて、第７レンズＬ７、第８レンズＬ８を通過し、記録媒体Ｍの記録層に照射され、情報の記録された位置を通過することとなる。
【００２３】
記録媒体Ｍを透過した光束は、第２ガルバノミラーＧＭ２で反射され、記録媒体Ｍに再入射する。この反射光の記録媒体Ｍへの再入射角は、第１ガルバノミラーＧＭ１、第２ガルバノミラーＧＭ２で制御されている。
【００２４】
記録媒体Ｍへ再入射した光束は、記録媒体Ｍの記録層に記録されている干渉縞により応じたパターンの光束となり、このパターン光は、更に対物レンズＯＢＪ、第６レンズＬ６，第３ピンホールＰ３，第５レンズＬ５を通過し、偏光ビームスプリッタＰＢＳ２で反射されて、２次元画像センサＣＣＤの受光面に入射する。
【００２５】
こうして、２次元画像センサＣＣＤの受光面に入射したパターン光は、その画像−信号変換機能により電気信号に変換され、それにより記録媒体Ｍに記録されている情報に対応した２次元パターン情報が再生されることとなる。
【００２６】
図３は、補正機構等を設けた第１の実施の形態にかかる光情報記録再生装置のブロック図であるが、図１，２と異なり制御デバイスは省略して示している。図４は、２次元画像センサＣＣＤの受光面を概略的に示す図である。図３において、記録媒体Ｍは、不図示のリニアガイドに沿って、メディア駆動機構ＭＤと一体で、図１，２に示す記録・再生位置より、図３に示す退避位置へと退避可能となっている。更に、本実施の形態においては、記録媒体Ｍが記録・再生位置にある場合に、情報光の光路の延長線上において、その記録媒体Ｍを挟んで対物レンズＯＢＪと反対側（半導体レーザＬＤと反対側）に、凹面ミラーＣＮＭが配置されている。記録媒体Ｍの背面側は、光情報記録再生装置においてはデッドスペースとなっていることが多いので、凹面ミラーＣＮＭを搭載することが特に問題になる恐れは低い。
【００２７】
ここで、記録媒体Ｍが記録・再生位置にある場合に、参照光の光路の延長線上において、記録・再生位置にある記録媒体を挟んで第８レンズＬ８と反対側（半導体レーザＬＤと反対側）に設けられている第２ガルバノミラーＧＭ２を、平面ミラーとする。ここで、第２ガルバノミラーＧＭ２は、ガルバノミラーコントローラーＧＣＴ（図１，２）の制御により、記録媒体Ｍが記録・再生位置にあるときには、上述したように情報の再生を行うために記録媒体Ｍに対向する位置へと回転変位し（図１，２参照）、記録媒体Ｍが退避位置にあるときには、凹面ミラーＣＮＭに対向する位置へと回転変位するようになっている（図３参照）。
【００２８】
更に、図１、２の構成に対して、第１偏光ビームスプリッタＰＢＳ１と第２ピンホールＰ２との間（参照光の光路内）において、固定ミラーＭ１，Ｍ２の代わりに、第１可動ミラーMM1と第２可動ミラーMM2を、この順序で配置してなる。補正機構を構成する第１可動ミラーMM1、第２可動ミラーMMは、その他の光学素子を固定した不図示のフレームに対して、可動機構を介してミラー面を３次元的に変位可能となっている。
【００２９】
図５は、第１可動ミラーMM1の斜視図である。尚、第２可動ミラーMM2も同様な構成を有する。図５において、第２可動ミラーMM1は、不図示のフレームに固定された板状のベースＢＳと、ベースＢＳに対して離間した状態で並行して配置された板状のステージＳＴと、ステージＳＴ上に載置されたプリズムミラーＰＭと、ベースＢＳとステージＳＴとを連結する３つの圧電素子ＰＺとを有する。プリズムミラーＰＭの斜面が光を反射するミラー面（ミラー）となっている。３つの圧電素子ＰＺは、ベースＢＳ及びステージＳＴに対して仮想的な三角形の頂点に位置するように配置され、不図示の駆動装置から電力を供給されることにより個々に伸縮自在となっている。ここで、３つの圧電素子ＰＺの伸び量又は縮み量を所与の値に設定することで、図５でＸＹ平面に沿ったベースＢＳに対して、ステージＳＴをＸ方向とＹ方向とに任意に傾けて角度付けすることができ、これによりプリズムミラーＰＭのミラー面の傾きを３次元的に調整できる。ベースＢＳ、ステージＳＴ、圧電素子ＰＺにより可動機構を構成する。
【００３０】
第１の実施の形態にかかる光情報記録再生装置における、光束のズレ検出及び調整について説明する。ここで、参照光のズレ検出及び調整時には、記録媒体Ｍを記録・再生位置より退避させ、第２ガルバノミラーＧＭ２を凹面ミラーＣＮＭに対向する位置へと回転変位させる。更に、アクティブ１／２波長板ＡＨＷＰを駆動して、情報光を遮断するようにする。かかる状態で、半導体レーザＬＤを発光させると、図１を参照して説明した光路を辿り、平行光束である参照光が記録・再生位置を通過して第２ガルバノミラーＧＭ２に向かい、ここで反射した参照光は、更に凹面ミラーＣＮＭで反射して収束光となり、その焦点ＦＰを通過した後、対物レンズＯＢＪに入射して平行光束となり、第６レンズＬ６，第３ピンホールＰ３，第５レンズＬ５と、情報光の光路を逆に辿って、第２偏光ビームスプリッタＰＢＳ２で反射されて検出器を兼ねる２次元画像センサＣＣＤの受光面に入射され、２次元方向の情報光のズレを検出される。
【００３１】
ここで、図４に示すように、一般的に参照光ＲＢの径は情報光ＳＢの径より小さいので、参照光ＳＢは２次元画像センサＣＣＤの受光面より十分に小さい。従って、参照光ＳＢが、光学素子の経時変化等によって２次元画像センサＣＣＤの受光面上でずれた場合（図４中、点線で示す位置）、２次元画像センサＣＣＤの出力信号より、そのズレ量を求めることができる。このズレを解消するように、即ち図４中、実線で示す中央位置（所定位置）へと参照光ＳＢが移動するように、第１可動ミラーMM1又は第２可動ミラーMM2のミラーを角度変位させてズレ調整を行うことができる。本実施の形態によれば、ズレ検出用の検出器と、情報読み取り用の２次元画像センサＣＣＤとを兼用としているので、部品点数の削減やコスト低減を図れる。
【００３２】
図６は、補正機構等を設けた第２の実施の形態にかかる光情報記録再生装置のブロック図であるが、図１，２と異なり制御デバイスは省略して示している。本実施の形態においては、図３に示す実施の形態に対して、第１固定ミラーＦＭ１，第３可動ミラーMM３、第４可動ミラーMM４、第２固定ミラーＦＭ２を、この順序で配置してなる補正機構を、第１偏光ビームスプリッタＰＢＳ１と第３レンズＬ３との間に配置している。第３可動ミラーMM３、第４可動ミラーMM４は、第１可動ミラーMM1と同様な構成を有する。記録時及びズレ検出時において、第１偏光ビームスプリッタＰＢＳ１から第３レンズＬ３に向かう光束は、第１固定ミラーＦＭ１，第３可動ミラーMM３、第４可動ミラーMM４、第２固定ミラーＦＭ２にて、それぞれ反射されて元の光路に戻るので、かかる補正機構を光路内に挿入したことで情報の記録やズレ測定を妨げることはない。又、光アイソレータＯＩにより、第１レンズＬ１から半導体レーザＬＤに向かうことを阻止された戻り光の量を検出するセンサＳＮが設けられている。それ以外の点は、図３の構成と同様であるため説明を省略する（図６で記録媒体Ｍ及びメディア駆動機構ＭＤは省略している）。
【００３３】
本実施の形態においては、参照光のみならず情報光のズレも検出・調整を行える。より具体的には、図３を参照して説明したようにして、参照光のズレを検出・調整した後、アクティブ１／２波長板ＡＨＷＰを制御して、第１偏光ビームスプリッタＰＢＳ１で情報光を分岐する（偏光方向の調整やシャッタなどで情報光のみとすると好ましい）。かかる情報光は、記録時と同様に情報光の光路を辿り、対物レンズＯＢＪで焦点位置ＦＰに向かって集光され、それを通過後に広がってゆくが、これを凹面ミラーＣＮＭで反射すると、平行光が第２ガルバノミラーＧＭに向かい、ここで反射した後に記録・再生位置を通過して、参照光の光路に沿って戻り、最終的に光アイソレータＯＩに入射して遮断されることとなる。このときの戻り光の量はセンサＳＮで検出されるが、情報光にズレが生じると、光アイソレータＯＩに入射する戻り光にケラレが発生するため、戻り光の量が少なくなる。このとき、参照光のズレ検出・調整が既になされているので、第１可動ミラーMM1又は第２可動ミラーMM2のミラーを角度変位させる必要はない。そこで、この場合には図５を参照して説明したように第３可動ミラーMM３又は第４可動ミラーMM４のミラー面を角度変位させながら、最も戻り光の量が増大する位置を求め、かかる位置で、第３可動ミラーMM３又は第４可動ミラーMM４のミラーを保持固定する。以上により、参照光のみならず、情報光もズレ調整を行うことができる。
【図面の簡単な説明】
【００３４】
【図１】比較例として示す２光束干渉方式の光情報記録再生装置のブロック図である。
【図２】比較例として示す２光束干渉方式の光情報記録再生装置のブロック図である。
【図３】補正機構等を設けた第１の実施の形態にかかる光情報記録再生装置のブロック図である。
【図４】半導体レーザＬＤの受光面を概略的に示す図である。
【図５】第１可動ミラーMM1の斜視図である。
【図６】補正機構等を設けた第２の実施の形態にかかる光情報記録再生装置のブロック図である。
【符号の説明】
【００３５】
MCＴ メディアコントローラー
MM 可動ミラー
ＡＨＷＰ アクティブ１／２波長板
ＣＣＤ ２次元画像センサ
ＣＮＭ 凹面ミラー
ＤＢ データバッファ
ＤＥＣ デコーダ
ＥＮＣ エンコーダ
ＦＭ１ 第１固定ミラー
ＦＭ２ 第２固定ミラー
ＦＰ 焦点位置
ＧＣＴ ガルバノミラーコントローラー
ＧＭ ガルバノミラー
ＧＭ１ 第１ガルバノミラー
ＧＭ２ 第２ガルバノミラー
ＩＦ インターフェース
Ｌ１ 第１レンズ
Ｌ２ 第２レンズ
Ｌ３ 第３レンズ
Ｌ４ 第４レンズ
Ｌ５ 第５レンズ
Ｌ６ 第６レンズ
Ｌ７ 第７レンズ
Ｌ８ 第８レンズ
ＬＤ 半導体レーザ
ＭＲＹ メモリー
Ｍ 記録媒体
ＭＭ１ 第１可動ミラー
ＭＭ２ 第２可動ミラー
ＭＭ３ 第３可動ミラー
ＭＭ４ 第４可動ミラー
ＭＤ メディア駆動機構
ＯＢＪ 対物レンズ
ＯＣＴ オプトコントローラー
ＯＩ 光アイソレータ
Ｐ１ 第１ピンホール
Ｐ２ 第２ピンホール
Ｐ３ 第３ピンホール
ＰＢＳ１ 第１偏光ビームスプリッタ
ＰＢＳ２ 第２偏光ビームスプリッタ
ＰＤ 検出器
ＳＨ シャッタ
ＳＬＭ 空間光変調器
ＳＰ 集光スポット
【図１】
2010102784.tif 000003
【図２】
2010102784.tif 000004
【図３】
2010102784.tif 000005
【図４】
2010102784.tif 000006
【図５】
2010102784.tif 000007
【図６】
2010102784.tif 000008